(57)【要約】【課題】  埋植直後の血液の流通時に血流によってチューブ内面から剥離することを防止して、人工血管の抗血栓形成作用を向上する。【解決手段】  生体適合性材料からなる多孔質チューブ３の内面に、該多孔質チューブ３の長さ方向に沿って接着性の細胞５を配列させてなる人工血管１を提供する。  内部に流動する血液から受ける剥離力に抗して細胞５を接着状態に維持し、剥離を抑制して血栓の形成を回避する。【選択図】      図１
2006075191.tif 000002
【特許請求の範囲】
【請求項１】
生体適合性材料からなる多孔質チューブの内面に、該多孔質チューブの長さ方向に沿って接着性の細胞を配列させてなる人工血管。
【請求項２】
一方向に延びる接着性の細胞を、前記多孔質チューブの長さ方向に配向させてなる請求項１に記載の人工血管。
【請求項３】
生体適合性材料からなる多孔質チューブの内面に、接着性の細胞を付着させるとともに、該細胞を付着させた多孔質チューブの内部に培地を流動させつつ、所定培養条件下において培養することにより、多孔質チューブ内面の細胞を増殖させてなる人工血管。
【請求項４】
培養中における前記多孔質チューブ内部の培地の流れの状態が、１００≦レイノルズ数Ｒｅ≦２０００となるように設定されている請求項３に記載の人工血管。
【請求項５】
前記多孔質チューブが、ポリ乳酸、ポリグリコール酸、キチン、キトサン、アルギン酸、ポリペプチド、ポリアミノ酸の内、１または２以上の組み合わせからなる請求項１から請求項４のいずれかに記載の人工血管。
【請求項６】
生体適合性材料からなる多孔質チューブの内面に、接着性の細胞を付着させるステップと、
該細胞を付着させた多孔質チューブの内部に培地を流動させつつ、所定培養条件下において培養するステップとを備える人工血管の製造方法。
【請求項７】
培養ステップにおける前記多孔質チューブ内部の培地の流れの状態が、１００≦レイノルズ数≦２０００となるように設定されている請求項５に記載の人工血管の製造方法。
【請求項８】
前記培養ステップにおける前記多孔質チューブ内部の培地の流れのレイノルズ数を、徐々に増大させる請求項７に記載の人工血管の製造方法。
【請求項９】
前記細胞を付着させるステップが、細胞を含む培地を多孔質チューブの内側から外側に向けて流通させるステップである請求項５または請求項６に記載の人工血管の製造方法。
【請求項１０】
請求項１から請求項５のいずれかに記載の人工血管を構成する多孔質チューブを内部に収容する筒状の容器と、
該容器内に培地を供給する培地供給装置とを備え、
前記容器に、該容器内における多孔質チューブの内側空間と外側空間とを区画する隔壁と、前記培地供給装置に接続され、前記内側空間に開口する培地供給口と、前記外側空間および内側空間にそれぞれ開口する培地排出口と、これら培地排出口を択一的に切り替えるバルブとを備える人工血管の製造装置。
【発明の詳細な説明】
【技術分野】
【０００１】
この発明は、人工血管、その製造方法および製造装置に関するものである。
【背景技術】
【０００２】
従来、人工血管として、例えば、ポリエステル樹脂やポリテトラフルオロエチレン樹脂の生体適合性材料により構成されたチューブからなるものが知られている。このようなチューブは、生体内に埋植して内部に血液を流通させると、埋植後の初期段階において、チューブ内面に血栓が形成され、該血栓によって、あるいは、血管内に過剰に形成される血管内組織によって、チューブ内部に狭窄が発生する不都合が考えられる。
【０００３】
このような不都合を回避するために、上述した生体適合性材料からなるチューブの内面に血管内皮細胞等を付着させて製造されるハイブリッド型人工血管が提案されている（例えば、特許文献１〜３参照。）。
これらの特許文献１〜３に記載された人工血管によれば、チューブの内面を血管内皮細胞等で被覆しているため、血栓を形成し難くすることができる。
【特許文献１】特開２００３−０２４３５１号公報
【特許文献２】特開２００３−２８４７６７号公報
【特許文献３】特開２００４−１５９８４９号公報
【発明の開示】
【発明が解決しようとする課題】
【０００４】
これらの特許文献１〜３に開示された人工血管は、いずれも、チューブの内面に血管内皮細胞等を付着させた直後、または、内壁に血管内皮細胞を付着させたチューブを所定の培地内に静置して培養した後に生体内に埋植するものである。しかしながら、このようにしてチューブの内面に付着させられた血管内皮細胞の状態は、生体内において形成される血管内皮細胞の状態とは、その細胞の形態や組織の状態が著しく相違している。このため、生体内に埋植して血液を流通させると、血流によってチューブ内面から剥離してしまう不都合が考えられる。そして、血管内皮細胞が剥離してしまうと、その剥離部分において血栓が発生し、血管の狭窄等の問題が発生する虞がある。
【０００５】
この発明は、上述した事情に鑑みてなされたものであって、埋植直後の血液の流通時に血流によってチューブ内面から剥離することを防止して、高い抗血栓形成作用を有する人工血管と、そのような人工血管の製造方法および製造装置を提供することを目的としている。
【課題を解決するための手段】
【０００６】
上記目的を達成するために、本発明は、以下の手段を提供する。
本発明は、生体適合性材料からなる多孔質チューブの内面に、該多孔質チューブの長さ方向に沿って接着性の細胞を配列させてなる人工血管を提供する。
本発明によれば、接着性の細胞が多孔質チューブの長さ方向に沿って配列しているので、埋植後に人工血管内に血液を流通させた場合には、細胞が流動する血液の流線の方向に配列されることになる。その結果、細胞が流動する血液から受ける影響を低減して剥離を防止し、抗血栓形成作用の低下を防止することができる。
【０００７】
上記発明においては、一方向に延びる接着性の細胞を、前記多孔質チューブの長さ方向に配向させてなることとしてもよい。
このようにすることで、接着性の細胞が多孔質チューブの長さ方向に配向されるので、埋植後に人工血管内に血液を流通させた場合に、細胞が流動する血液の流線の方向に配向されることになる。その結果、流動する血液に対する細胞の抵抗が小さくなり、血液から受ける剥離力を低減して剥離を防止し、抗血栓形成作用の低下を防止することができる。
【０００８】
また、本発明は、生体適合性材料からなる多孔質チューブの内面に、接着性の細胞を付着させるとともに、該細胞を付着させた多孔質チューブの内部に培地を流動させつつ、所定培養条件下において培養することにより、多孔質チューブ内面の細胞を増殖させてなる人工血管を提供する。
細胞を付着させた多孔質チューブの内部に培地を流動させつつ培養することにより、多孔質チューブ内面の細胞が、培地の流れの方向に沿って配列されるとともに、培地の流れの方向に沿って延びる細長い形態で成長させられる。すなわち、本発明によれば、細胞が、多孔質チューブの内部を流れる培地によって剥離されることのないように、流れに適合した形態に成長するので、培養後に内部に流動させる血液によっても細胞が剥離し難い人工血管となる。
【０００９】
上記発明においては、培養中における前記多孔質チューブ内部の培地の流れの状態が、１００≦レイノルズ数Ｒｅ≦２０００となるように設定されていることが好ましい。
このように構成することで、培地の流れは層流領域の流れとなり、実際に血管内における血液の流れの形態に近似している。そして、このような層流領域における培地は、多孔質チューブ内において乱れることなく流れるので、培養途中における細胞の剥離を防止することができる。
【００１０】
また、上記発明においては、前記多孔質チューブが、ポリ乳酸、ポリグリコール酸、キチン、キトサン、アルギン酸、ポリペプチド、ポリアミノ酸の内、１または２以上の組み合わせからなることが好ましい。
これらの材質は生体吸収性を有するので、これらの材料により構成した多孔質チューブを用いることにより、埋植後に吸収され、自家血管に置き換わる人工血管を構成することができる。
【００１１】
さらに、本発明は、生体適合性材料からなる多孔質チューブの内面に、接着性の細胞を付着させるステップと、該細胞を付着させた多孔質チューブの内部に培地を流動させつつ、所定培養条件下において培養するステップとを備える人工血管の製造方法を提供する。
多孔質チューブの内面に細胞を接着させた後に、培地を流動作させつつ培養することにより、培地によって剥離されることのないように、流れに適合した形態に細胞を成長させ、培養後に内部に流動させる血液によっても細胞が剥離し難い人工血管を製造することができる。
【００１２】
また、多孔質チューブの内面に接着した細胞の表面において培地を流動させることにより、培地から細胞に対してずり応力（せん断応力）を加えることができる。細胞はずり応力を加えられることにより、血小板の凝集を抑制する一酸化窒素やプロスタグランジンＩ２を分泌したり、血栓を溶解するシステムを活性化する組織プラスミノーゲンアクチベータを分泌するようになる。したがって、本発明によれば、そのような成分を分泌した状態の細胞を有する、極めて高い抗血栓形成作用を有する人工血管を製造することができる。
【００１３】
上記発明においては、培養ステップにおける前記多孔質チューブ内部の培地の流れの状態が、１００≦レイノルズ数Ｒｅ≦２０００となるように設定されていることが好ましい。
このようにすることで、培地の流れは層流領域の流れとなり、実際に血管内における血液の流れの形態に近似し、多孔質チューブ内において乱れることなく流れるので、生体内の血管内における血管内皮細胞の成長と同等の環境で細胞を成長させることができ、埋植後の血液の流動に適合した人工血管を製造することができる。
【００１４】
また、上記発明においては、前記培養ステップにおける前記多孔質チューブ内部の培地の流れのレイノルズ数を、徐々に増大させることが好ましい。
多孔質チューブ内を流れる培地のレイノルズ数を増大させると、流速が次第に増大する。したがって、細胞が多孔質チューブの内面に接着した直後は流速を小さく設定して、細胞の剥離を防止し、細胞が接着して時間が経過した後には、流速を増大させて、細胞に加わるずり応力を増大させ、抗血栓形成作用を向上することができる。
【００１５】
さらに、上記発明においては、前記細胞を付着させるステップが、細胞を含む培地を多孔質チューブの内側から外側に向けて流通させるステップであることとしてもよい。
このようにすることで、培地が多孔質チューブの気孔を通過して内側から外側に流動する間に、細胞が気孔に捕らえられて、多孔質チューブの内面に接着する。したがって、内面に細胞が接着した状態の多孔質チューブを簡易に構成することができる。
【００１６】
また、本発明は、上記いずれかに記載の人工血管を構成する多孔質チューブを内部に収容する筒状の容器と、該容器内に培地を供給する培地供給装置とを備え、前記容器に、該容器内における多孔質チューブの内側空間と外側空間とを区画する隔壁と、前記培地供給装置に接続され、前記内側空間に開口する培地供給口と、前記外側空間および内側空間にそれぞれ開口する培地排出口と、これら培地排出口を択一的に切り替えるバルブとを備える人工血管の製造装置を提供する。
【００１７】
この発明によれば、バルブを作動させて内側空間に開口する培地排出口を閉じ、外側空間に開口する培地排出口を開放して、培地供給装置を作動させることにより、培地供給装置から供給された培地が、培地供給口から容器の多孔質チューブの内側空間内に供給される。内側空間と外側空間とは隔壁によって区画されているので、内側空間内に供給された培地は多孔質チューブの気孔を通過して外側空間に流出し、開口されている培地排出口から容器外部に排出されることになる。このとき、容器内に供給する培地内に細胞を混入させておくことにより、培地が多孔質チューブの気孔を通過する間に、細胞を多孔質チューブの内面に捕獲して付着させることができる。
【００１８】
この後にバルブを切り替えて内側空間に開口する培地排出口を開放し、外側空間に開口する培地排出口を閉じる。そして、培地供給装置を作動させることにより、供給された培地が多孔質チューブの内部を流通して培地排出口から排出される。これにより、培地は多孔質チューブの内面に付着した細胞の表面を通過して流動させられる。このとき、細胞は、流動する培地によって剥離しないように、流れにその形態を適合させながら成長する。その結果、得られる人工血管は、生体内に埋植された後の血流に対しても剥離しないような耐性を有する細胞によって血栓の発生を防止できる。また、培地が多孔質チューブの内面に付着した細胞の表面を通過する際に、細胞に対してずり応力を加えるので、ことにより、血栓の形成を防止する成分を分泌し、抗血栓形成作用の高い人工血管を製造することができる。
【発明の効果】
【００１９】
本発明によれば、生体内に埋植された後に、内部を流通する血流によって細胞が剥離することが抑制され、血栓の発生を効果的に防止し得る人工血管を提供することができるという効果を奏する。
【発明を実施するための最良の形態】
【００２０】
以下、本発明の一実施形態に係る人工血管１、その製造方法および製造装置２について、説明する。
本実施形態に係る人工血管１は、図１に示されるように、多数の気孔を有する多孔質チューブ３と、該多孔質チューブ３の内面に形成された細胞層４とを備えている。多孔質チューブ３は、管壁を貫通して延びる多数の連続気孔（図示略）を備えている。また、多孔質チューブ３は、生体適合性材料からなり、生体内に埋植されたときに、周囲の生体組織と適合し、炎症等を生じないようになっている。特に、ポリ乳酸、ポリグリコール酸、キチン、キトサン、アルギン酸、ポリペプチド、ポリアミノ酸等の生体吸収性材料の内、１または２以上の組み合わせからなる多孔質チューブを使用することとすれば、埋植後所定期間内に生体に吸収され、完全に自家血管に置き換わるので好ましい。多孔質チューブ３の寸法は、例えば、内径０．１〜３０ｍｍ、外径０．２〜３２ｍｍ、平均孔径０．１〜０．３ｍｍとすることができる。
【００２１】
また、細胞層４を構成する細胞５は、例えば、血管内皮細胞（以下、血管内皮細胞５とも言う。）からなる。細胞層４を構成する各血管内皮細胞５は、図１に示されるように、細長い形態を有し、多孔質チューブ３の内面に多孔質チューブ３の長さ方向に沿って配列されている。また、各血管内皮細胞５は、その長さ方向を多孔質チューブ３の長さ方向に沿わせるように配向されている。なお、図１は、説明のためのイメージ図であり、現実には、図面ほど整然と整列せず、また大きさも様々となるが、細長い形態の細胞５が多孔質チューブ３の長さ方向に配向され、かつ、長さ方向に配列されるように形成される傾向がある。
【００２２】
次に、本実施形態に係る人工血管の製造装置２について、図２を参照して以下に説明する。
本実施形態に係る製造装置２は、図２に示されるように、人工血管１が構成されるリアクタ６と、該リアクタ６に接続される培地供給装置７とから構成されている。
培地供給装置７は、リアクタ６に供給する培地８を貯留する培地調製槽９と、該培地調製槽９に新鮮な培地８を供給する新鮮培地容器１０と、培地調製槽９から排出される廃培地１１を貯留する廃培地槽１２と、前記培地調製槽９に供給する酸素を供給する酸素ボンベ１３と、二酸化炭素を供給する二酸化炭素ボンベ１４と、これらの供給、排出用に設けられたポンプ１５〜１８とを備えている。
【００２３】
培地調製槽９は密封されていて、所定量の培地８が貯留されるとともに、酸素ボンベ１３、二酸化炭素ボンベ１４および空気管路１９からポンプ１５により供給された、酸素、二酸化炭素および空気を所定の割合で混合した気層２０を備えている。培地８内には攪拌手段２１が備えられていて、培地８内の酸素、二酸化炭素濃度が所定の値に均一に設定されるようになっている。新鮮培地容器１０からは、新鮮な培地８がポンプ１７の作動により、必要に応じて、あるいは、定期的に培地調製槽９に供給されるようになっている。また、培地調製槽９内の培地８が所定の液位を超えた場合に、ポンプ１６の作動により廃培地槽１２に向けて余分な廃培地１１が排出されるようになっている。
【００２４】
また、培地調製槽９内の培地８は、ポンプ１８の作動によりリアクタ６に供給され、リアクタ６から排出された培地は培地調製槽９内に戻されるようになっている。
また、培地調製槽９からリアクタ６への供給管路２２には、外部から供給管路２２内に細胞５を注入するための細胞注入口２３が設けられている。
【００２５】
前記リアクタ６は、図３に示されるように、人工血管１を構成する多孔質チューブ３を収容する筒状のリアクタ本体（容器）２４と、該リアクタ本体２４内に配置され、多孔質チューブ３の両端を固定するリング状の隔壁２５とを備えている。隔壁２５は、リアクタ本体２４の内周面および多孔質チューブ３の外周面に密着状態に配されることにより、リアクタ本体２４の内部を、多孔質チューブ３の内部に連絡する内側空間２６と、多孔質チューブ３の外部に配される筒状の外側空間２７とに区画するようになっている。
【００２６】
リアクタ本体２４の長さ方向の両端には、それぞれ内側空間２６に開口する培地供給口２８と第１の培地排出口２９とが、多孔質チューブ３を軸方向に挟む位置に配置されている。また、リアクタ本体２４の側壁には、外側空間２７に開口する第２の培地排出口３０が設けられている。前記培地調製槽９からの供給管路２２の一端は、リアクタ本体２４の培地供給口２８に接続されている。また、培地調製槽９への排出管路３１は、第１および第２の培地排出口２９，３０にそれぞれ三方弁３２を介して接続されている。三方弁３２は、第１の培地排出口２９から培地調製槽９への排出管路３３または第２の培地排出口３０から培地調製槽９への排出管路３４のいずれかを選択的に開放することができるようになっている。
【００２７】
また、本実施形態においては、特に、第１の培地排出口２９が開かれて、多孔質チューブ３内に培地８が供給させられる際の培地８の流通速度が、１００≦Ｒｅ≦２０００を満たすように設定されている。ここで、Ｒｅはレイノルズ数である。
【００２８】
このように構成された本実施形態に係る製造装置２により人工血管１を製造する場合について以下に説明する。
本実施形態に係る製造装置２を用いて人工血管１を製造するには、まず、図３に示される状態にリアクタ６を構成し、培地供給口２８および培地排出口２９，３０にそれぞれ供給管路２２および排出管路３３，３４を接続する。
【００２９】
培地調製槽９には、所定量の培地８を貯留しておき、二酸化炭素および酸素を適宜供給して、所定の濃度で培地８内に溶存させておく。
そして、この状態で、三方弁３２を第２の培地排出口３０から培地８が排出されるように設定しておく。
【００３０】
そして、ポンプ１８の作動により培地調製槽９内の培地８を吸引して、供給管路２２を介してリアクタ６に培地８を供給する。これにより、供給管路２２を介して供給されてきた培地８は、リアクタ本体２４内に区画形成されている内側空間２６内に培地供給口２８から供給され、内側空間２６内を満たすようになる。第１の培地排出口２９は閉鎖されているので、内側空間２６内を満たした培地８は、図４に示されるように、多孔質チューブ３の気孔を通過して半径方向外方の外側空間２７に漏れ出すようになる。すなわち、多孔質チューブ３の壁面を半径方向外方に向けて貫通する培地のラジアルフローが形成される。
【００３１】
この状態で、細胞注入口２３から、所定の細胞５を注入し、細胞５の接着ステップＳ１を開始する。
細胞５としては、血管内皮細胞のみならず、骨髄由来の幹細胞、臍帯血由来の幹細胞、胎盤由来の幹細胞、造血幹細胞、胚性幹細胞、末梢血由来の幹細胞、あるいは、これらの細胞を含む、骨髄液、臍帯血、胎盤、末梢血のいずれかでよい。
【００３２】
細胞注入口２３から注入された細胞５等は、供給管路２２から供給されている培地８内に混入された状態でリアクタ本体２４の内側空間２６内に供給され、既に形成されているラジアルフローにのって多孔質チューブ３を半径方向に貫通しようとする。しかしながら、多孔質チューブ３の平均孔径が０．１〜０．３ｍｍに形成されているので、細胞５は気孔を通過することができずに多孔質チューブ３の内面に捕獲されてその場で接着させられる。供給された培地８は多孔質チューブ３の壁面を厚さ方向に貫通するので、培地８に混合されている全ての細胞５が多孔質チューブ３に捕獲されることになる。
この状態で、１〜４時間程度維持し、第２の培地排出口３０から培地８を流出させ続けることにより、供給された細胞５が多孔質チューブ３の内面に十分に接着することになる。これにより、細胞５の接着ステップＳ１が終了する。
【００３３】
次に、細胞５の培養ステップＳ２を開始する。
このステップでは、三方弁３２を操作して、リアクタ本体２４の第２の培地排出口３０を閉鎖し、第１の培地排出口２９を開放する。これにより、供給管路２２を経て培地調製槽９から供給された培地８が、リアクタ本体２４の培地供給口２８から内側空間２６内に供給されると、図５に示されるように、多孔質チューブ３内を貫通して第１の培地排出口２９から排出管路３３に排出されることになる。
【００３４】
このとき、多孔質チューブ３の内面には、既に、上記接着ステップＳ１において供給された細胞５が接着状態に配置されているので、リアクタ本体２４内に供給された培地８は、多孔質チューブ３内面の細胞５の近傍を通過して第１の培地排出口２９から排出されることになる。
すなわち、多孔質チューブ３内面に接着している細胞５に対しては、その表面を流動する培地８によってずり応力（せん断応力）が加えられることになる。その結果、細胞５は多孔質チューブ３の長手方向に沿って剥離されるような力を受けることになる。
【００３５】
この場合において、本実施形態に係る人工血管１の製造装置２によれば、流動する培地８の流れの形態が、層流領域の流れとなるようにレイノルズ数が設定されているので、培地８の流れの乱れにより、細胞５が剥離されてしまうことがなく、健全な接着状態で成長させられることになる。特に、層流状態の流れは、生体内の血液の流れの形態に近似しており、細胞５は、生体内に配されている血管内皮細胞と同等の環境下で成長させられることになる。
【００３６】
そして、このような状態を１日〜７日間維持することにより、細胞５は、流動する培地８から受けるずり応力に抗して、剥離されないように形態を適合させていくことになる。
その形態としては、例えば、図１に示されるように、細胞５自体を細長く、多孔質チューブ３の長手方向に沿って配向させる形態が挙げられる。これにより、各細胞５に対して培地８が当たる面積を小さくして抵抗を低減することができる。また、流動する培地８に対して他の細胞５の影に隠れるように多孔質チューブ３の長手方向に沿って配列されるようになる。その結果、製造された人工血管１は、生体内に埋植されることにより、内部に血液を流通させても、その血液から受ける物理的な力による剥離に対する耐性を高めたものとなる。
【００３７】
また、細胞５は、培地８からずり応力を受けると、血小板の凝集を抑制する一酸化窒素やプロスタグランジンＩ２を分泌したり、血栓を溶解するシステムを活性化する組織プラスミノーゲンアクチベータを分泌するようになる。その結果、製造された人工血管１は、生体内に埋植されることにより、内部に血液を流通させた際に、血栓の発生を抑制することができる。したがって、優れた抗血栓形成作用を有する人工血管１となる。
【００３８】
なお、本実施形態においては、培養ステップＳ２における培地８の流速を、培養ステップＳ２開始時から徐々に増加させて行くことにしてもよい。接着ステップＳ１で多孔質チューブ３の内面に接着されたばかりの細胞５は接着力が弱く剥離しやすいので、低い流速で培地８を流動させることにより細胞５が剥離されるのを抑制し、また、ある程度成長して接着力が高まった後には、流速を高くして、細胞５に対する刺激を高めることが望ましい。流速の変更の仕方は、連続的でも段階的でもよい。
【図面の簡単な説明】
【００３９】
【図１】本発明の一実施形態に係る人工血管を模式的に示す一部を破断した斜視図である。
【図２】図１の人工血管の製造装置を示す模式図である。
【図３】図２の人工血管の製造装置のリアクタを説明する模式的な縦断面図である。
【図４】図３のリアクタにおける本実施形態に係る人工血管の製造方法の接着ステップＳ１を説明する模式的な縦断面図である。
【図５】図４の製造方法の培養ステップＳ２を説明する模式的な縦断面図である。
【符号の説明】
【００４０】
１  人工血管
２  製造装置
３  多孔質チューブ
５  細胞
７  培地供給装置
８  培地
２４  リアクタ本体（容器）
２５  隔壁
２６  内側空間
２７  外側空間
２８  培地供給口
２９  第１の培地排出口（培地排出口）
３０  第２の培地排出口（培地排出口）
３２  三方弁（バルブ）
Ｓ１  接着ステップ
Ｓ２  培養ステップ
【図１】
2006075191.tif 000003
【図２】
2006075191.tif 000004
【図３】
2006075191.tif 000005
【図４】
2006075191.tif 000006
【図５】
2006075191.tif 000007